(57)【要約】【課題】文字を効率良く入力可能とする。【解決手段】手書きにより文字を入力するための入力部１１を備えた入力手段４と、入力部１１に入力された手書き文字を認識する文字認識手段２３と、入力部１１を、１箇所２５と、残る他の箇所２６とで識別可能に表示させる表示制御手段２２と、１箇所の入力部２５に手書き入力し、文字認識手段に２３より文字認識した後、残る他の入力部２６を操作することにより、手書き入力を確定する入力確定手段１４とを備える。表示制御手段２２は、操作された入力部１１への手書き入力が可能となるように、手書き入力された入力部２５と操作された入力部２６との表示形態を逆転させる。【選択図】図２
2008282250.tif 000002
【特許請求の範囲】
【請求項１】
手書きにより文字を入力するための入力部を備えた入力手段と、
前記入力部に入力された手書き文字を認識する文字認識手段と、
前記入力手段に表示する入力部を複数箇所とし、手書き入力が可能な手書き入力部と、該手書き入力部以外の入力部とで識別可能に表示する表示制御手段と、
前記手書き入力部に手書き入力し、前記文字認識手段により文字認識した後、残る他の入力部を操作することにより、手書き入力を確定する入力確定手段と、
を備え、
前記表示制御手段は、操作された入力部への手書き入力が可能となるように、手書き入力された入力部と操作された入力部との表示形態を逆転させることを特徴とする手書き入力装置。
【請求項２】
前記入力手段の入力部の表示数を切替可能とする切替手段を、さらに備えたことを特徴とする請求項１に記載の手書き入力装置。
【請求項３】
前記切替手段は、前記入力手段に複数の入力部を表示させた状態で、１箇所の入力部と、他の入力部とに跨って手書き入力された場合、手書き入力された入力部を合体して１つの入力部に切り替えることを特徴とする請求項２に記載の手書き入力装置。
【請求項４】
前記切替手段は、複数の入力部を合体して１つの入力部に切り替えた後、手書き入力が確定されることにより、元の複数の入力部に表示を切り替えることを特徴とする請求項３に記載の手書き入力装置。
【請求項５】
前記入力手段は、前記手書き入力部への入力なしに、該手書き入力部以外の入力部を操作することにより、入力しようとする語句に於ける入力しようとする文字の位置関係を設定可能とする入力条件変更手段を、さらに備えたことを特徴とする請求項１から４のいずれか１項に記載の手書き入力装置。
【請求項６】
前記入力条件変更手段は、前記手書き入力部への入力なしに、該手書き入力部以外の入力部への操作を連続して行う連続操作が行われた場合、該連続操作の回数分の不確定文字領域を確保することを特徴とする請求項５に記載の手書き入力装置。
【請求項７】
前記入力条件変更手段は、前記手書き入力部への入力なしに、該手書き入力部以外の入力部への操作を連続して行う連続操作が行われた場合、任意の個数分の不確定文字領域を確保することを特徴とする請求項５に記載の手書き入力装置。
【請求項８】
前記入力手段による文字入力が１文字も行われていない場合、
前記入力条件変更手段により、前記手書き入力部への入力なしに、該手書き入力部以外の入力部への操作が行われた場合、任意の個数分の不確定文字領域を確保することを特徴とする請求項５に記載の手書き入力装置。
【請求項９】
入力手段に複数の入力部を表示し、いずれか１箇所の入力部を他の入力部と識別可能に表示する第１表示制御ステップと、
前記１箇所の入力部に入力された手書き文字を認識する文字認識ステップと、
前記残る他の入力部を操作することにより、手書き入力を確定する入力確定ステップと、
手書き入力された入力部と操作された入力部との表示形態を逆転させ、操作された入力部への手書き入力を可能とする第２表示制御ステップと、
を含むことを特徴とする手書き入力方法。
【請求項１０】
前記請求項９に記載した方法の各ステップを含むことを特徴とするプログラム。
【請求項１１】
請求項１０に記載のプログラムを記録したことを特徴とするコンピュータにより読取可能な記録媒体。
【発明の詳細な説明】
【技術分野】
【０００１】
本発明は、手書き入力装置、手書き入力方法、この手書き入力方法を実行するためのプログラム、及び、このプログラムを記録した記録媒体に関するものである。
【背景技術】
【０００２】
従来、手書き入力装置として、普通記入状態では５つの記入枠を使用し、複雑な漢字等を入力するための分割記入状態では主記入枠と副記入枠とを表示し、副記入枠に、順次、入力する文字の一部を入力し、主記入枠に合成後の文字を表示させるようにしたものが公知である（例えば、特許文献１参照）。
【０００３】
【特許文献１】特開平８−１５３１６２号公報
【発明の開示】
【発明が解決しようとする課題】
【０００４】
しかしながら、前記従来の手書き入力装置では、記入枠は複数表示されるものの、１文字ずつしか入力して認識できないという問題がある。このため、入力作業を効率的に行うことができない。また、記入枠が複数表示されるものの、どこにどのように入力すればよいのかが判然とせず、使い勝手が悪いという問題がある。
【０００５】
そこで、本発明は、文字を効率良く入力できる、使い勝手の良い手書き入力装置、方法、プログラム、及び、記録媒体を提供することを課題とする。
【課題を解決するための手段】
【０００６】
本発明は、前記課題を解決するための手段として、
手書き入力装置を、
手書きにより文字を入力するための入力部を備えた入力手段と、
前記入力部に入力された手書き文字を認識する文字認識手段と、
前記入力手段に表示する入力部を複数箇所とし、手書き入力が可能な手書き入力部と、該手書き入力部以外の入力部とで識別可能に表示する表示制御手段と、
前記手書き入力部に手書き入力し、前記文字認識手段により文字認識した後、残る他の入力部を操作することにより、手書き入力を確定する入力確定手段と、
を備え、
前記表示制御手段は、操作された入力部への手書き入力が可能となるように、手書き入力された入力部と操作された入力部との表示形態を逆転させるようにしたものである。
【０００７】
この構成により、文字を入力すべき入力部が他の入力部と識別可能に表示されるので、入力箇所を迷うことがない。そして、入力部への入力が完了すれば、他の入力部を操作するだけで、入力内容を確定することができる、さらに、入力確定後は、表示形態が逆転され、次に入力すべき箇所がどこであるのかを明確に示すことができる。したがって、順次、次の文字を入力して行くことができ、入力作業を迅速に行うことが可能となる。
【０００８】
前記入力手段の入力部の表示数を切替可能とする切替手段を、さらに備えるのが好ましい。
【０００９】
この構成により、必要に応じて入力部の表示形態を変更することができる。例えば、複雑な文字を入力する場合には、１つの入力部のみを表示させることにより手書き入力しやすくすることができる。また、複数の文字を入力する場合、複数の入力部を表示させることにより、次々に文字を入力して行くことができるので、入力を効率的に行うことが可能となる。
【００１０】
前記切替手段は、前記入力手段に複数の入力部を表示させた状態で、１箇所の入力部と、他の入力部とに跨って手書き入力された場合、手書き入力された入力部を合体して１つの入力部に切り替えるのが好ましい。
【００１１】
この構成により、複数箇所に入力部を表示させて入力している場合、複数の入力部に跨るようにして手書き入力するだけで、簡単に入力部の表示を合体した状態に切り替えることができる。
【００１２】
前記入力手段は、前記手書き入力部への入力なしに、該手書き入力部以外の入力部を操作することにより、入力しようとする語句に於ける入力しようとする文字の位置関係を設定可能とする入力条件変更手段を、さらに備えるのが好ましい。
【００１３】
前記入力条件変更手段は、前記手書き入力部への入力なしに、該手書き入力部以外の入力部への操作を連続して行う連続操作が行われた場合、任意の個数分の不確定文字領域を確保するようにしてもよい。
【００１４】
前記入力条件変更手段は、前記手書き入力部への入力なしに、該手書き入力部以外の入力部への操作を連続して行う連続操作が行われた場合、任意の個数分の不確定文字領域を確保するようにしてもよい。
【００１５】
前記入力手段による文字入力が１文字も行われていない場合、
前記入力条件変更手段により、前記手書き入力部への入力なしに、該手書き入力部以外の入力部への操作が行われた場合、任意の個数分の不確定文字領域を確保するようにしてもよい。
【００１６】
前記入力条件変更手段を備えたいずれかの構成により、文字列のうち、所望の位置の文字を不確定状態とすることができる。このため、例えば、電子辞書に採用する場合、任意の位置に含まれる文字の入力を簡単に行わせることが可能となる。
【００１７】
また、本発明は、前記課題を解決するための手段として、
手書き入力方法を、
入力手段に複数の入力部を表示し、いずれか１箇所の入力部を他の入力部と識別可能に表示する第１表示制御ステップと、
前記１箇所の入力部に入力された手書き文字を認識する文字認識ステップと、
前記残る他の入力部を操作することにより、手書き入力を確定する入力確定ステップと、
手書き入力された入力部と操作された入力部との表示形態を逆転させ、操作された入力部への手書き入力を可能とする第２表示制御ステップと、
を含むものとする。
【００１８】
前記入力手段の入力部を、１又は複数に切替表示可能とする切替表示ステップを、さらに含むのが好ましい。
【００１９】
前記切替表示ステップは、前記入力手段に複数の入力部を表示させた状態で、１箇所の入力部と、該入力部に隣接する他の入力部とに跨って手書き入力された場合、両入力部を合体して１つの入力部に切り替えるのが好ましい。
【００２０】
前記切替表示ステップによって２箇所の入力部が合体して１つの入力部に切り替えた後、手書き入力が確定されることにより、元の２箇所の入力部に表示を切り替える第３表示制御ステップを、さらに含むのが好ましい。
【００２１】
前記１箇所の入力部への入力なしに、残る他の入力部を操作することにより、入力しようとする語句の２文字目以降の文字として入力可能とする入力条件変更ステップを、さらに含むのが好ましい。
【００２２】
また、本発明は、前記課題を解決するための手段として、プログラムを、前記いずれかの方法の各ステップを含むものする。
【００２３】
また、本発明は、前記課題を解決するための手段として、記録媒体に、前記プログラムを記録し、コンピュータにより読取可能としたものである。
【発明の効果】
【００２４】
本発明によれば、文字を入力すべき入力部を他の入力部と識別可能に表示するようにしたので、入力箇所を誤ることがなく、安心して入力作業を行うことができる。しかも、他の入力部を操作するだけで入力内容を確定させ、入力内容が確定されれば、入力箇所と操作箇所とで表示形態を逆転させるようにしたので、順次、入力すべき箇所が明らかとなり、複数文字入力であっても迅速に入力を行うことが可能となる。
【発明を実施するための最良の形態】
【００２５】
以下、本発明に係る実施形態を添付図面に従って説明する。
【００２６】
（第１実施形態）
図１は、第１実施形態に係る手書き入力装置を電子辞書に採用した例を示す。この電子辞書は、大略、第１液晶パネル１を備えた蓋体２と、各種キー３、第２液晶パネル４、及び、制御ユニット５を備えた本体６とで構成されている。蓋体２は本体６に対してヒンジ結合され、開閉可能となっている。
【００２７】
第１液晶パネル１には、図７（ａ）に示す辞書検索入力画面等が表示される。辞書検索入力画面７では、後述するようにして検索文字欄８に所望の文字を入力し、検索／決定キー３ａを操作することにより、該当する辞書が検索される。
【００２８】
第２液晶パネル４は、図５に示すように、表示操作部９と、選択操作部１０とからなるタッチパネルで構成されている。
【００２９】
表示操作部９には、手書き入力欄１１、文字確定欄１２、修正候補欄１３等が表示され、ペン等による入力作業が可能となっている。手書き入力欄１１は、ペン等により手書き入力するための領域で、選択操作部１０の枠数切替キーをタッチ操作することにより、１枠又は２枠のいずれか一方に切り替えて表示可能である。手書き入力欄１１への手書き入力は、後述する選択操作部１０の書き直しキー１８をタッチ操作することにより消去される。文字確定欄１２は、手書き入力欄１１での入力後、確定された文字が順次表示される（文字の確定方法については後述する。）。但し、文字確定欄１２は、手書き入力欄１１に２枠表示する場合にのみ表示され、１枠表示では表示されることはない。また、文字確定欄１２では、確定直後の文字は反転表示され、修正候補欄１３での入力により変更可能である。さらに、文字確定欄１２の右端には、採用キー１４が表示され、この採用キー１４をタッチ操作することにより、文字確定欄１２に表示させた文字を、第１液晶パネル１に表示した辞書検索入力画面７の検索文字欄８に反映させることが可能となっている。修正候補欄１３は、文字確定欄１２に反転表示された確定直後の文字に対する修正候補の一覧を表示する。文字確定欄１２で反転表示された文字は左端に表示され、修正候補はその右側に表示される。修正候補のいずれかをペン等でタッチ操作すると、その文字が反転表示され、文字確定欄１２の表示文字が変更される。また、文字確定欄１２の反転表示は、各種キー３のカーソルキーの入力により移動させ、修正候補欄１３に修正候補を表示す対象となる漢字を変更することが可能である。
【００３０】
選択表示部には、手書き入力欄１１が表示された場合にのみ操作可能な各操作内容が印刷されている。具体的に、操作部には、「認識」、「枠数切替」、「認識切替」、「書き直し」、「候補拡大」の各文字が印刷され、それぞれ認識キー１５、枠数切替キー１６、認識切替キー１７、書き直しキー１８、候補拡大キー１９を構成している。
【００３１】
制御ユニット５は、図２に示すように、ＲＯＭ２０（Read Only Memory）、ＲＡＭ２１（Random Access Memory）、ＣＰＵ２２（Central Processing Unit）等を備える。
【００３２】
ＲＯＭ２０には、制御プログラム２３、各種辞書データ２４等が格納されている。制御プログラム２３は、後述する手書き入力処理等が該当する。辞書データ２４には、国語辞典、英和辞典等の各種辞書の内容を電子データ化したものが格納されている。ＲＡＭ２１には、電源をオフする際の第１液晶パネル１の表示内容（終了時画面情報）等、書換を必要とされる各種データが格納される。ＣＰＵ２２は、後述するように、各種キー３やタッチパネルからの入力に基づいて、ＲＯＭ２０に格納した制御プログラム２３を実行し、ＲＡＭ２１にデータを記憶させたり、第１液晶パネル１及び第２液晶パネル４の各種制御を実行したりする。
【００３３】
次に、前記構成からなる電子辞書の動作について、図３及び図４に示すフローチャートに従って、第２液晶パネル４からの手書き入力処理を中心に説明する。
【００３４】
電源が投入された状態で、図５（ａ）に示すように、第２液晶パネル４の表示操作部９に表示する手書き入力欄１１を１枠表示とする（ステップＳ１）。枠数切替キー１６がタッチ操作されることなく（ステップＳ２：ＮＯ）、手書き入力欄１１への文字入力が開始されれば、手書き入力された文字の認識等の１枠入力処理を行う（ステップＳ３）。この処理は、従来同様であるので、その説明を省略する。
【００３５】
枠数切替キー１６がタッチ操作されれば（ステップＳ２：ＹＥＳ）、図５（ｂ）に示すように、手書き入力欄１１の表示形態を２枠表示（第１表示枠２５及び第２表示枠２６）に切り替える（ステップＳ４）。この場合、図５（ｂ）中、２点鎖線で示すように、一方の表示枠（第２表示枠２６）を網掛け状態とすることにより、手書き入力を行うべき表示枠がいずれであるのかをはっきりさせるのが好ましい。勿論、網掛けに限らず、黒塗りや斜線のほか、カラー画面であれば、色彩を変更する等、識別可能な表示であればよい。
【００３６】
手書き入力が開始されれば（ステップＳ５：ＹＥＳ）、表示枠（第１表示枠２５）に手書き軌跡を表示する（ステップＳ６）。そして、手書き入力が残る他方の表示枠（第２表示枠２６）にも行われたか否かを判断する（ステップＳ７）。図６（ａ）に示すように、第２表示枠２６にも手書き入力される場合、漢字の画数が多い等、文字を大きく記載したいものと判断し、図６（ｂ）に示すように、２つの表示枠を仕切る仕切り線を削除し（ステップＳ８）、１枠入力モードに設定する（ステップＳ９）。但し、基本は２枠表示であるので、修正候補欄１３は表示したままとする。また、仕切り線の両側に、非切替領域を設け、たとえ一方の表示枠から仕切り線を越えて他方の表示枠に記入されたとしても、非切替領域であれば１枠表示に切り替えないようにすることも可能である。
【００３７】
続いて、手書き入力欄１１に、既に手書き入力されているか否かを判断する（ステップＳ１０）。既に手書き入力されていれば、自動認識モードであるか否かを判断する（ステップＳ１１）。ここでは、初期状態では自動認識モードとし、認識切替キー１７が操作されることにより手動認識に切り替えるようにしている。
【００３８】
自動認識モードの場合（ステップＳ１１：ＹＥＳ）、手書き入力が停止してから一定時間経過することにより（ステップＳ１２）、文字認識を実行する（ステップＳ１３）。文字認識は、従来周知の方法を採用でき、例えば、辞書に文字とその軌跡のパターンとを互いに関連付けて記憶させておき、手書き入力された軌跡と、辞書登録したパターンとを比較し、同一であると判断される文字を抽出することにより行う。図７（ａ）に示すように、文字認識の結果、第１候補（最も近いパターンに対応する文字）を文字確定欄１２に反転表示すると共に、修正候補欄１３の左端に表示する（ステップＳ１４）。また、他の候補を修正欄に表示した第１候補の右側に一覧表示する（ステップＳ１５）。このとき、前記ステップＳ７の判断により、前記ステップＳ８、Ｓ９で、１枠入力モードに切り替えられている場合、仕切り線を再表示させ、再び２枠表示モードに復帰させる（ステップＳ１６）。
【００３９】
一方、自動認識モードでない場合、すなわち手動モードの場合（ステップＳ１１：ＮＯ）、認識キー１５が操作されることにより（ステップＳ１７：ＹＥＳ）、前記ステップＳ１３に移行して文字認識等を行う。認識キー１５の操作がなければ、前記ステップＳ１０に戻って待機する。
【００４０】
但し、認識キー１５を操作する代わりに、手書き入力された表示枠に隣接して表示させた残る他の表示枠内のいずれかの位置をタッチ操作することにより文字認識を実行するようにすることも可能である。これによれば、次に入力する表示枠をタッチ操作するだけで、次々に文字を入力して行くことができるので、入力作業を効率的に行うことが可能となる。この場合、次に入力する表示枠に網掛け表示等、識別可能な表示としておくのが好ましい。特に、その表示枠に操作を促す表示をすれば（例えば、キーを表示させる等）、より一層操作性を高めることが可能となる。
【００４１】
手書き入力欄１１に、手書き入力がないと判断されれば（ステップＳ１０：ＮＯ）、候補が選択されたか否かを判断する（ステップＳ１８）。そして、修正候補欄１３に一覧表示された文字候補の中からいずれかが選択されれば、文字確定欄１２の表示を選択した文字に変更する（ステップＳ１９）。文字確定欄１２には、前記ステップＳ５からＳ１９の処理を繰り返すことにより入力される文字が順次表示される。表示された文字のうち、後に変更を希望する文字については、カーソルをその文字まで移動させると、前記ステップＳ１５で表示させた、対応する候補文字が一覧表示される。そこで、前記ステップＳ１８、Ｓ１９の処理を行うことにより他の候補に変更する。つまり、文字列の途中のいずれの文字であっても、他の文字に変更することが可能である。
【００４２】
候補が選択されなければ、採用キー１４がタッチ操作されたか否かを判断する（ステップＳ２０）。採用キー１４がタッチ操作されると、図７（ｂ）に示すように、文字確定欄１２に表示した文字を、辞書検索入力画面７の検索文字欄８に表示し（ステップＳ２１）、文字確定欄１２の表示を消去する（ステップＳ２２）。採用キー１４の操作がなければ、枠数切替キー１６が操作されたか否かを判断する（ステップＳ２３）。枠数切替キー１６が操作されれば、ステップＳ１に戻って前記処理を繰り返し、操作されず、他のキー操作があれば、そのキー３に応じた処理を実行する（ステップＳ２４：例えば、候補拡大キー１９が操作されれば、文字確定欄１２や修正候補欄１３に表示した文字を拡大表示する。）。
【００４３】
以上のようにして手書き文字を文字認識させ、文字の入力を行うが、手書き入力、文字認識後の文字の表示等は全て第２液晶パネル４内で行うことができる。つまり、視線を第２液晶パネル４と第１液晶パネル１の間で移動させるが必要なく、入力作業を非常に効率良く行うことができ、誤入力等も防止することが可能となる。
【００４４】
（第２実施形態）
前記手書き入力処理では、次のようにして検索したい語句の中で、複数の文字が分からないときに検索する方法としてのブランクワード検索処理を行えるようにしてもよい。以下、この処理内容を図８のフローチャートに従って説明する。
【００４５】
すなわち、図９（ａ）に示すように、２枠表示させた状態で（ステップＳ３１）、第１表示枠２５に手書き入力されれば（ステップＳ３２：ＹＥＳ）、前記同様にして２枠表示での手書き入力処理を開始する。
【００４６】
第１表示枠２５への手書き入力がされることなく（ステップＳ３２：ＮＯ）、第２表示枠２６へのタッチ操作があれば（ステップＳ３３：ＹＥＳ）、ブランクワード検索を開始する（ステップＳ３４）。このとき、図９（ｂ）に示すように、第１液晶パネル７にブランクワード検索が開始された旨の表示を別ウィンドウで表示させ、検索文字欄８には、ブランクワード検索を意味する「〜」の文字を表示させる。なお、文字入力がない状態で、文字入力の対象となっていない表示枠を連続してクリックした場合に、ブランクワード検索に切り替えるようにしてもよい。
【００４７】
ブランクワード検索では、図１０（ａ）に示すように、第１表示枠２５への手書き入力があり（ステップＳ３５：ＹＥＳ）、認識キー１５の操作があれば（ステップＳ３６：ＹＥＳ）、文字認識を開始する（ステップＳ３７）。そして、認識した文字を文字確定欄１２に表示し、第１表示枠２５に入力された文字を消去する（ステップＳ３８）。このとき、図１０（ｂ）に示すように、入力可能な表示枠を変更し（ここでは、第１表示枠２５から第２表示枠２６に変更した例を示す。）、次の文字の手書き入力に備える（ステップＳ３９）。
【００４８】
その後、手書き入力により、希望する文字が全て検索文字欄８に表示されれば（図１１（ａ）の例では、「〜ふく」が含まれる文字列についての入力が完了した状態を示す。）、検索／決定キー３ａが操作されることにより（ステップＳ４０）、辞書検索処理を開始する（ステップＳ４１）。
【００４９】
辞書検索処理では、ブランクワードである「〜」が含まれる文字列に基づいて辞書データ２４（ここでは、和英辞典）を検索し、「〜」以外の文字（複数の文字であれば、その語句）が含まれる語句、文章等を、辞書データ２４から抽出する。抽出した結果は、第１液晶パネル１に表示する。抽出された語句が全て１画面で表示しきれない場合にはスクロール表示可能とする。また、１番目に表示された語句、文章等については、上下に分割された画面の下方欄に辞書内容を表示する（図１１（ｂ）の例では、「明日は明日の風が吹く」の辞書内容「Tomorrow is another day.」を下方欄に表示させている。）。
【００５０】
このように、前記第２実施形態に係る手書き入力処理によれば、２枠表示させ、第１表示枠２５をブランク状態としたままで、第２表示枠２６をクリック操作することにより、自動的にブランクワード検索を開始できる。また、ブランクワード検索処理が開始されれば、その旨が第１液晶パネル１に表示される。つまり、操作性が良いだけでなく、操作状況を的確に把握することができる。そして、ユーザが、検索したい語句の途中に分からない文字の文字数を知らない場合にでも、その語句を簡単に検索することが可能となる。
【００５１】
（第３実施形態）
前記手書き入力処理では、次のようにして検索したい語句の中で、分からない文字数が分かっているときに検索する方法としてのワイルドカード検索処理を行えるようにしてもよい。以下、この処理内容を図１２のフローチャートに従って説明する。
【００５２】
すなわち、図１３（ａ）に示すように、２枠表示させた状態で（ステップＳ５１）、第１表示枠２５に手書き入力があれば（ステップＳ５２：ＹＥＳ）、認識キー１５の操作により（ステップＳ５３：ＹＥＳ）、文字認識を開始する（ステップＳ５４）。そして、認識された文字を文字確定欄１２に表示する（ステップＳ５５）。ここで、採用キー１４の操作があれば（ステップＳ５６：ＹＥＳ）、文字確定欄１２に表示した文字を消去し、第１液晶パネル１に表示した辞書検索入力画面７の検索文字欄８に表示する（ステップＳ５７）。ここで、図１３（ｂ）に示すように、入力可能な表示枠を変更し（ここでは、第１表示枠２５から第２表示枠２６に変更した例を示す。）、次の文字の手書き入力に備える（ステップＳ５８）。
【００５３】
以下、同様にして、手書き入力を行い、文字確定欄１２、検索文字欄８へと表示を遷移させるが、その途中で、文字入力がない状態で、いずれか一方の文字入力の対象となっていない表示枠（図１４（ａ）中、２点鎖線の斜線で示す。）がクリック操作されると（ステップＳ５９：ＹＥＳ）、ワイルドカード検索へと移行する（ステップＳ６０）。すなわち、第１液晶パネル１には、図１４（ｂ）に示すように、表示される検索文字欄８には、既に入力された文字の後に、「？」を挿入すると共に、前記第２実施形態の場合と同様に、ワイルドカード検索とは何であるのかを示す説明を表示する（図１４（ｂ）では具体的な説明は省略している。）。
【００５４】
なお、「？」は、文字入力がない状態で、文字入力の対象となっていない表示枠を連続してクリックした回数分だけ辞書検索入力画面７の検索文字欄８に表示させることが可能である。これにより、ユーザが検索したい語句の中で分からない文字数を知っている場合であれば、検索効率を向上させることができる。
【００５５】
その後、前記同様にして、図１５（ａ）及び（ｂ）に示すように、他の文字の入力が行われ、希望する文字が全て検索文字欄８に表示されれば（図１６（ａ）は、「あ？び」と表示した例を示す。）、検索／決定キー３ａが操作されることにより（ステップＳ６１）、辞書検索処理を開始する（ステップＳ６２）。
【００５６】
辞書検索処理では、ワイルドカードである「？」が途中に含まれる文字列に基づいて辞書データ２４（ここでは、和英辞典）を検索し、「？」以外の文字を含み、「？」の位置に「？」の個数分の任意の文字を持つ語句（ここでは、「あ」で始まり「び」で終わる語句の中で、「あ」と「び」の間に1文字入る語句）を抽出する。抽出した結果は、図１６（ｂ）に示すように、第１液晶パネル１に表示する（ここでは、「あくび」、「あそび」、「アワビ」が表示された例を示す。）。
【００５７】
このように、前記第３実施形態に係る手書き入力処理によれば、前記第２実施形態と同様に、表示枠をクリック操作するだけで、自動的にワイルドカード検索を開始でき、その旨を第１液晶パネル１に表示させることができる。
【００５８】
なお、前記実施形態では、手書き入力装置を電子辞書に採用する場合について説明したが、ＰＤＡ、携帯電話等、手書き入力が可能な電子機器であれば、いずれのものにも採用することができる。
【００５９】
また、前記実施形態では、手書き入力欄１１に１枠又は２枠のいずれか一方を表示させるようにしたが、３枠以上を表示させるようにすることも可能である。そして、スペース上の問題がなければ、横並びに限らず、縦方向に並べて表示してもよいし、マトリックス状に表示してもよい。さらに、表示させた３枠以上のうち、任意の複数枠を１枠に表示させるように切替可能としてもよし、スクロール表示するようにしてもよい。
【図面の簡単な説明】
【００６０】
【図１】本実施形態に係る手書き入力装置を採用した電子辞書の開放状態を示す正面図である。
【図２】図１に示す電子辞書のブロック図である。
【図３】図１に示す電子辞書に於ける手書き入力処理を示すフローチャート図である。
【図４】図１に示す電子辞書に於ける手書き入力処理を示すフローチャート図である。
【図５】手書き入力処理での手書き入力画面の画面遷移を示す図である。
【図６】手書き入力処理での手書き入力画面の画面遷移を示す図である。
【図７】手書き入力処理での手書き入力画面及び第１液晶パネルの画面遷移を示す図である。
【図８】ブランクワード検索の内容を示すフローチャート図である。
【図９】ブランクワード検索での手書き入力画面及び第１液晶パネルの画面遷移を示す図である。
【図１０】ブランクワード検索での手書き入力画面及び第１液晶パネルの画面遷移を示す図である。
【図１１】ブランクワード検索での手書き入力画面及び第１液晶パネルの画面遷移を示す図である。
【図１２】ワイルドカード検索の内容を示すフローチャート図である。
【図１３】ワイルドカード検索での手書き入力画面及び第１液晶パネルの画面遷移を示す図である。
【図１４】ワイルドカード検索での手書き入力画面及び第１液晶パネルの画面遷移を示す図である。
【図１５】ワイルドカード検索での手書き入力画面及び第１液晶パネルの画面遷移を示す図である。
【図１６】ワイルドカード検索での手書き入力画面及び第１液晶パネルの画面遷移を示す図である。
【符号の説明】
【００６１】
１…第１液晶パネル
２…蓋体
３…キー
３ａ…検索／決定キー
４…第２液晶パネル（入力手段）
５…制御ユニット
６…本体
７…辞書検索入力画面
８…検索文字欄
９…表示操作部
１０…選択操作部
１１…手書き入力欄（入力部）
１２…文字確定欄
１３…修正候補欄
１４…採用キー
１５…認識キー
１６…枠数切替キー（切替手段）
１７…認識切替キー
１８…書き直しキー
１９…候補拡大キー
２０…ＲＯＭ
２１…ＲＡＭ
２２…ＣＰＵ（表示制御手段）
２３…制御プログラム（文字認識手段）
２４…辞書データ
２５…第１表示枠
２６…第２表示枠（入力部）
【図１】
2008282250.tif 000003
【図２】
2008282250.tif 000004
【図３】
2008282250.tif 000005
【図４】
2008282250.tif 000006
【図５】
2008282250.tif 000007
【図６】
2008282250.tif 000008
【図７】
2008282250.tif 000009
【図８】
2008282250.tif 000010
【図９】
2008282250.tif 000011
【図１０】
2008282250.tif 000012
【図１１】
2008282250.tif 000013
【図１２】
2008282250.tif 000014
【図１３】
2008282250.tif 000015
【図１４】
2008282250.tif 000016
【図１５】
2008282250.tif 000017
【図１６】
2008282250.tif 000018